【手続補正書】
【提出日】平成16年9月27日(2004.9.27)
【手続補正１】
【補正対象書類名】明細書
【補正対象項目名】全文
【補正方法】変更
【補正の内容】
【書類名】          明細書
【発明の名称】    気化熱を利用した冷却装置、冷却用シート
【特許請求の範囲】                             
【請求項１】  上部が開口する箱と、骨組みと、布状や網状の吸水体からなり、容器の上部に骨組みを配して吸水体を被冷却物の覆いとしてかぶせ、吸水体の下端が容器内部の液体に接するように配すことで、該吸水体が前記液体を吸収し蒸発させ、気化熱の放出によって冷却効果を生じせさせる構成である携帯用冷却装置。
【請求項２】  金属箔、金網、合成樹脂による網等の骨材に布、紙、不織布等、吸水性を有し蒸発可能な吸水体を張り合わせた箱あるいは筒等にするための組み立て手段を有するシート状体であって、下端を水等の液体に浸ける状態で被冷却物の覆いとして蓋状にかぶせて使用出来る携帯冷却用シート。
【請求項３】  吸水体に突起物、あるいは折り目を設け、空気と吸水体の接触面積を広くした請求項２に記載した携帯冷却用シート。
【発明の詳細な説明】
【０００１】
【発明の属する技術分野】
本発明は野外に於いて、液体が蒸発するときに気化熱を放出することを利用して冷却効果を得るための冷却装置である。
【０００２】
【従来の技術】
キャンプ等に於いて食料を保管する場合、クーラーを持参しても氷等の冷却材は長くは効果を発揮せず、又、徒歩での移動ではクーラー自体が荷物となり、軽くて食料の保存に役立つ有効な手段が存在しなかった。
【０００３】
特開平１１−３０４２８０に於いて本発明と構造が一部似た出願がなされている。このペット用クーラーによれば金属製の屋根に吸水体を掛けることになっており、これを本発明の目的に使用するとすれば、重量や容積が大きく移動に不便である。
【０００４】
【発明が解決しようとする課題】
野外に於いて液体が蒸発するときに気化熱を放出することを利用し冷却効果を得ることの出来る簡便な構成の冷却装置を供すること。
【０００５】
【課題を解決するための手段】
上部が開口する箱と、骨組みと、布状や網状の吸水体からなり、容器の上部に骨組みを配して吸水体を被冷却物の覆いとしてかぶせ、吸水体の下端が容器内部の液体に接するように配すことで、該吸水体が前記液体を吸収し蒸発させ、気化熱の放出によって冷却効果を生じせさせる構成である携帯用冷却装置を供する。
【０００６】
金属箔、金網、合成樹脂による網等の骨材に布、紙、不織布等、吸水性を有し蒸発可能な吸水体を張り合わせた箱あるいは筒等にするための組み立て手段を有するシート状体であって、下端を水等の液体に浸ける状態で被冷却物の覆いとして蓋状にかぶせて使用出来る携帯冷却用シートを供する。
【０００７】
吸水体に突起物、あるいは折り目を設け、空気と吸水体の接触面積を広くした携帯冷却用シートを供する。
【０００８】
【発明の実施の形態】
発明の実施の形態について図を用いて説明する。
図１は被冷却物を自動車とし、本発明を自動車カバーとして使用した実施例１の使用時の状態を示した斜視図である。容器１を自動車２の屋根に乗せ、吸水体３を容器１から引き出し、吸水体固定具４によって自動車２の下部に取り付ける。容器１の中に貯えられた水等の液体が毛細管現象によって吸水体３に吸収され、サイホン現象により吸水体３の全体に行き渡る。液体ここでは水が蒸発する際に気化熱を放出し、冷えた吸水体及び生じた冷気が吸水体に覆われた被冷却物を冷却する。
【０００９】
図２は吸水体３を布状体あるいは網状体とした場合の構造を示す吸水体３の斜視図である。ここで言う布状体、網状体は糸が連続して吸水体３の端Ａ（３Ａ）からもう一方の端Ｂ（３Ｂ）まで連続したものの一般的な形状を示すものであり、厳密に布又は網を指すものではない。縦糸が横糸によって連結したもの総称である。不織布等であっても毛細管現象及びサイフォン現象の効果により、水を吸水体３の端Ａ（３Ａ）から他の端Ｂ（３Ｂ）まで移動できるものであればこれを含める。
【００１０】
布状体又は網状体を筒状にして吸水体の端Ａ（３Ａ）の一部を縦長に残して他を切り欠き、上部を折り畳んで絞り込み、吸水体３全体の中央部となるようにする。吸水体３全体に、吸水体の端Ａ（３Ａ）と吸水体のもう一方の端Ｂ（３Ｂ）まで糸が連続する部分が吸水体全体に均一に配され、吸水体３全体への水の移動を容易にする。吸水体３の一定時間当たりの吸水量は使用する吸水体３の素材、及び容器１内の水面から吸水体の端Ｂ（３Ｂ）までの落差に左右される。図１に示した実施例１に於ける吸水体３が一般的な綿布であった場合、切り欠きが無いと吸水量、つまり水補給量が蒸発量を大きく上回る。容器の中に吸水体の端Ａ（３Ａ）を入れて吸水口としたとき、吸水体の端Ａ（３Ａ）の一部を切り欠くことにより吸水量つまり補給量を調節する。
【００１１】
蒸発量も湿度、風量に大きく左右され、天候によって冷却能力に差が出る。湿度が高い場合は蒸発量が少なく、冷却能力も低い。湿度が高いと言うことは雨の降る寸前というようなケースであり、天候が曇りであることから、停車中の自動車への使用では高い冷却能力は要求されない。風が強い場合には蒸発量が多く、吸水体の端Ａ（３Ａ）の切り欠きによって水の補給能力が制限されるため、水の蒸発量が補給量を上回る。つまり、水が不足するわけであるが、強い風自体が冷却力を発揮するため実用上問題とならない。
【００１２】
微風状態の炎天下に於ける蒸発量を基準に水の補給量を吸水体Ａ３（３Ａ）の切り欠きによって調節する。水の補給能力は縦糸の吸水能力によっても変わることから縦糸を選択することや、縦糸の一部を吸水性の無いものに置き換えることにより、水の補給能力は調節できる。吸水体は布状体や網状体の他、合成樹脂等のシートに微細な幅で切れ込みを入れることによっても作成できる。
【００１３】
図３は吸水体３を作成するための部品としての、縦糸が放射状に広がる布状体の構造を示す斜視図による概念説明図である。吸水体３全体の中央部に位置して吸水口となる吸水体の端Ａ（３Ａ）側は縦糸５どうしの間隔が重なり合うように狭めらて横糸６によって束ねられる。順次、束ねる縦糸の数を減らしながら横糸６が複数の縦糸５を束ねるように織り進む。吸水体３の外側に当たる反対側の端Ｂ（３Ｂ）に近づくにつれて一緒に織り込む縦糸の本数を減らし、吸水体の端Ｂ（３Ｂ）に至って平織りに近い状態となる。
【００１４】
上記によってつくられたほぼ三角形の布を上部が吸水体３全体の中央になるように縫い合わせて吸水体３とする。このことによって、縦糸５が吸水体３の中央から吸水体の端３Ｂに向かって吸水体３の全体に配され、布全体に均一な水の補給が可能となる。吸水量の調節は適切な吸水量を有する糸の選択の他、吸水性を有する縦糸５Ａと吸水性を有しない縦糸５Ｂあるいは吸水性の少ない縦糸の組み合わせによって行う。網状体も上記布状体とほぼ同様の手法により製作できる。
【００１５】
図４は多目的に使用される一般的な容器１の上面を示す斜視図であり、蓋７、蓋固定具８、取っ手９等によって構成される。吸水体３には使用する対象物それぞれに対応する吸水体固定具４が形成される。蓋固定具８は蓋側の固定具８Ａと容器本体側の固定具８Ｂによって構成され、双方をかみ合わせて蓋の取っ手１０を横にずらすと本体側の固定具８Ｂが蓋側の固定具８Ａを押さえつけ蓋７を容器本体１に密着させる。蓋７をネジ式にした場合には蓋固定具８を省略する。容器の取っ手９には容器内に水等の液体を入れた状態で持ちやすい太さと堅牢さを持たせる。
【００１６】
図５は自動車用として成形された実施例１に於ける容器の裏面を表した斜視図であり、折り畳み式ローラー１１、脚部１２によって構成される。図５のようにローラー１１を立ち上げて自動車の屋根にかけ、取っ手９を持って押し出すことにより、弱い力によって水の入った容器１を自動車の屋根に設置可能となる。水はタンクに入れて搬送し、容器を設置した後に入れることも可能である。脚部１２の被冷却物との接触部分及びローラー１１は接触対象物を傷つけない程度の柔軟性を有するゴムあるいは合成樹脂等で形成される。
【００１７】
図６は実施例１に於ける容器１内部の構造を示す一部断面を含む斜視図である。容器１の内部は、内部容器１３、内部の吸水体固定具１４，内部容器固定具１５によって構成される。内部容器１３は内部容器固定具１５によって容器１の底部に固定され、吸水体３の中央部が内部容器１３に内部の吸水体固定具１４によって固定され、吸水体３の中央部に当たる吸水体の端Ａ（３Ａ）が容器１の底部に接するように配される。否使用時は吸水体３を内部容器１３に入れて収納し、使用時には吸水体の端Ｂ（３Ｂ）を持って内部容器１３から引き出して設置する。
【００１８】
内部容器１３はざる型あるいは底部に穴が開いた容器であって、容器１に入れられた水が容易に侵入することが望ましい。吸水体の端Ａ（３Ａ）が容器１内部に貯えられた水に接することが出来るものであれば、内部容器１３は用いずに吸水体３を直接容器１に取り付けることも可能である。取り付け方式は固定式、可動式のどちらでも効果に変わりはない。
【００１９】
図７は実施例１の組み立て図であり、吸水体３を内部の吸水体固定具１４によって内部容器１３に取り付け、これを内部容器固定具１５によって容器１の底部に固定する。組立後、吸水体３はまとめて内部容器１３に入れて収納する。
【００２０】
図８は容器１内部に吸水体３を巻き取るための巻き取り筒１６を横向きに配して巻き取り筒Ａ（１６Ａ）とした実施例２の一部断面を含む斜視図である。巻き取り筒Ａ（１６Ａ）は容器内部に設置された巻き取り筒受け具１７に乗せて配される。巻き取り筒Ａ（１６Ａ）は容器１内部に設置されたゴム状弾性体１８と結合する。
【００２１】
ゴム状弾性体１８は容器１内部にゴム状弾性体固定具１９に取り付けて張り渡され、巻き取り筒Ａ（１６Ａ）を回転したときに、これを引き戻すためのねじれが生じるように巻き取り筒Ａ（１６Ａ）に結合される。吸水体の端Ｂ（３Ｂ）を持って吸水体３を容器１から引き出すと巻き取り筒Ａ（１６Ａ）が回転し、ゴム状弾性体１８はねじれるようにして引き伸ばされ、復元力を発揮する。冷却装置としての使用を止めて吸水体固定具４を留めてあったものから外すと、ゴム状弾性体１８の復元力により吸水体３は巻き取り筒Ａ（１６Ａ）に巻き取られて、容器１内部に収納される。
【００２２】
巻き取り筒Ａ（１６Ａ）には巻き込み防止鍔Ａ（２０Ａ）を形成し、吸水体の端Ａ（３Ａ）を裂いて巻き込み防止鍔Ａ（２０Ａ）に開けた穴Ａ（２１Ａ）を通し、巻き込み防止鍔Ａ（２０Ａ）の外側に導き、吸水体の端Ａ（３Ａ）が常に容器１の底部に接するように配される。被冷却物の大きさが一定であり、常に吸水体が最大限に引き出されて使用するのであれば、吸水体の端３Ａが、吸水体３に巻き込まれて内部の水と接することを妨げられるということが無くなり、巻き込み防止鍔Ａ（２０Ａ）は必要なくなる。吸水体の端Ａ（３Ａ）が容器底部に接するようにゆとりを持たせて巻き取り筒Ａ（１６Ａ）に結合すれば、使用時には吸水体の端３Ａが必ず容器１内部の水に接して吸水体３全体に水を補給する。
【００２３】
図９は図８に於けるゴム状弾性体１８を廃し、代わり巻き取りの動力伝達手段として引き紐２２を形成した実施例３の斜視図である。容器１内部側面に軸受け２３を設け、巻き取り筒Ａ（１６Ａ）を嵌合する。巻き取り筒Ａ（１６Ａ）の一部を巻き込み防止鍔Ｂ（２０Ｂ）によって区切り、引き紐巻き取り部２４とする。引き紐巻き取り部２４には引き紐結合部２５を設け、引き紐２２を取り付ける。引き紐２２の長さは、吸水体３の幅の約二分の一であり、巻き取り筒Ａ（１６Ａ）からこれに結合された吸水体３の端Ｂ（３Ｂ）までの長さにゆとりを持たせた長さとする。
【００２４】
吸水体３を容器１から引き出すと、巻き取り筒Ａ（１６Ａ）が回転し、引き紐２２が引き紐巻き取り部２４に巻き取られる。吸水体３の収納に当たっては吸水体固定具４を取り付けてあったものから外し、引き紐２２を引くと巻き取り筒Ａ（１６Ａ）が回転し吸水体３が巻き取り筒Ａ（１６Ａ）に巻き取られ、容器１内に収納される。
【００２５】
図１０は巻き取り筒１６を縦向きに設置して巻き取り筒Ｂ（１６Ｂ）とした実施例４の一部断面を含む斜視図である。巻き取り筒Ｂ（１６Ｂ）は筒状体に上部の鍔を兼ねる蓋Ｂ（７Ｂ）、筒状体の巻き取りに使用する範囲を決定するための鍔２６を取り付け、筒の内部に筒が二重になるように内筒２７を上部の鍔を兼ねる蓋Ｂ（７Ｂ）に結合される。巻き取り筒Ｂ（１６Ｂ）は、容器底部に設立された支柱筒２８にかぶせるように配され、支柱筒２８を巻き取り筒Ｂ（１６Ｂ）と内筒２７で挟み込む。巻き取り筒Ｂ（１６Ｂ）はバネ２９を介して容器１と結合される。
【００２６】
吸水体の端Ａ（３Ａ）は裂かれ、鍔２６に開けられた穴Ｂ（２１Ｂ）を通して容器１の底部に接するように配されて、吸水体３が巻き取り筒Ｂ（１６Ｂ）に取り付けられる。巻き取り筒Ｂ（１６Ｂ）に巻き取られた吸水体３を吸水体の端Ｂ（３Ｂ）を持って引き出すと巻き取り筒Ｂ（１６Ｂ）が回転し、バネ２９が変形して復元力を発揮する。
【００２７】
効果は図８，９に示した実施例２、３と同様であるが巻き取り筒Ｂ（１６Ｂ）の内側あるいは支柱筒２８の外側のいづれかに案内溝３０を刻み、他方にに案内子Ａ（３１Ａ）を設けるか、双方に案内子Ａ（３１Ａ）と案内溝３０を配することにより、巻き取り筒Ｂ（１６Ｂ）の回転運動、つまり、吸水体３の引き出し作業、及び巻き取り作業と共に巻き取り筒Ｂ（１６Ｂ）を上下動させ、巻き取り作業をスムーズにさせる。
【００２８】
巻き取り筒Ｂ（１６Ｂ）は吸水体３の引き出し作業開始時には容器１の底部に近い状態にあり、引き出し作業の中間の位置において最大限に底部から離れ、引き出し作業の進行と共に再び底部に向かって下降する。それにともない、巻き取り筒Ｂ（１６Ｂ）に結合されてある蓋Ｂ（７Ｂ）は吸水体３の引き出し作業開始時には僅かに容器１から離れ、吸水体１が十分引き出された時点では最初にあった位置に戻って容器内への塵埃の侵入を防ぐ。
【００２９】
図１１は巻き取り筒Ｂ（１６Ｂ）の内側に刻まれた案内溝３０の状態を示す一部断面を含む斜視図による部分拡大図である。巻き取り筒Ｂ（１６Ｂ）の内側の壁に、案内子Ａ（３１Ａ）と嵌合する幅で、螺旋状に下降するように刻まれ、その長さのほぼ中間で方向を変えて上に向い、最初の位置近くに戻って終わる。図１１は案内溝３０が一本の例であり、案内子Ａ（３１Ａ）一つに対応する。実際の製品には支持力を得るために複数個の案内子Ａ（３１Ａ）と案内溝３０を配する。吸水体３を引き出すことにより巻き取り筒Ｂ（１６Ｂ）が回転すると案内溝３０に沿って巻き取り筒Ｂ（１６Ｂ）が押し上げられ、最上部に達すると下降して蓋Ｂ（７Ｂ）が容器１に接近して停止する。
【００３０】
図１２は案内子Ａ（３１Ａ）の支柱筒２８への取り付け状態を示す支柱筒２８の斜視図による部分拡大図である。支柱筒２８には、巻き取り筒Ｂ（１６Ｂ）及び水等の液体を含んで重さを増した吸水体３の重量を支えるに足る強固な材質及び形状の突起体３２が形成され、案内子Ａ（３１Ａ）を遊嵌する。案内子Ａ（３１Ａ）には、案内溝３０が巻き取り筒Ｂ（１６Ｂ）の回転と共に角度を変えることから、角度の違いに対応できるゆとりを持った形状及び取り付け状態であることが求められる。案内子Ａ（３１Ａ）と案内溝３０はそれぞれ、支柱筒２８及び巻き取り筒Ｂ（１６Ｂ）のいずれかに設けるだけでなく、双方に案内子Ａ（３１Ａ）と案内溝３０を形成することが可能である。
【００３１】
図１３は実施例５の内筒内部を示す部分拡大図であり、図１０に於けるバネ２９を動力部３３に置き換えて設置する。動力部３３に設けた歯車３４の歯が内筒２７の内壁に刻まれた溝３５に嵌合し、歯車３４の回転を内筒２７に伝えて内筒２７を回転させる。
【００３２】
図１４は実施例５の動力部３３の斜視図であり、枠３６、モーター３７、回転軸３８、プーリー３９、ベルト４０、歯車３４、動力コントロール部４１等によって構成される。
【００３３】
動力コントロール部４１は電力供給部４２より電力を得てモーター３７を回転、停止、及び回転の方向切り替えを行う。モーター３７の回転は回転軸３８、プーリー３９，ベルト４０の組み合わせで回転速度を落とし、回転力を強めて歯車３４に伝えられる。歯車３４の回転は図１０に於ける内筒２７に伝えられ、巻き取り筒Ｂ（１６Ｂ）を回転させて容器１から吸水体３を出し入れする。
【００３４】
歯車３４はタイヤ型のゴム状弾性体に置き換えることが可能であり、その場合には歯車３４に隣接する軸受けに可動性を持たせ、バネ等によりゴム状弾性体を内筒１９に圧着させることが望ましい。プーリー３９とベルト４０の組み合わせによる動力の伝達方法も歯車によるものと置き換えることが可能である。
【００３５】
図１５は実施例５の外観を示す斜視図である。吸水体３には吸水体３を容器１から外に向かって押し出すための案内棒４３が取り付けられ、容器１には案内棒の進む方向を定める案内子Ｂ（３１Ｂ）が設置される。巻き取り筒Ｂ（１６Ｂ）が回転すると、吸水体３と共に巻き取り筒Ｂ（１６Ｂ）に巻かれていた案内棒４３はほどけるように押し出され、四方に伸びて吸水体３が被冷却物を覆う。
【００３６】
図１６は吸水体３と案内棒４３の関係を示す吸水体の斜視図である。案内棒４３は吸水体３の四隅を結ぶ対角線上もしくは吸水体３全体を均等に分割するように配されて、縫着される。吸水体の端Ａ（３Ａ）は裂かれ、巻き取り筒Ｂ（１６Ｂ）に沿って下方に伸び容器１の水を吸収できるようにする。案内棒４３は吸水体３と共に図１０で示した巻き取り筒Ａ（１６Ａ）に巻き取られ、巻き取り筒Ａ（１６Ａ）の回転と共にほどけるようにして伸び、吸水体３を押し広げる。
【００３７】
図１７は案内棒４３の構造を示す斜視図による部分拡大図であり、案内棒４３は棒状体４４、吸水体との縫着部４５、翼４６によって構成される。翼４６は吸水体３を棒状体４４と図１４で示した案内子Ｂ（３１Ｂ）の間に挟み込まないようにするためのものであり、案内棒４３が巻き取り筒Ｂ（１６Ｂ）に巻き取り可能に曲げられるだけの間隔をおいて配される。
【００３８】
図１８は自動車の屋根に固定し走行時にも取り付けたままにする実施例６に於ける容器Ｂの形状を示す斜視図である。実施例６は容器Ｂ（１Ｂ）、支持棒４７，容器取り付け具４８等によって構成される。容器取り付け具４８は自動車の形状に応じて各種用意される必要がある。容器Ｂ（１Ｂ）は上面が自動車の進行方向に対しほぼ直線であるか、下面よりも膨らみが乏しく、下面は自動車の進行方向に対し下方向に膨らみを持たせて形成される。断面は疑似紡錘形であり、飛行機の翼を裏返にした形状を呈する。
【００３９】
高速走行時には容器上部と下部に空気の流速差が生じ、上面よりも下面の気圧が低くなる。結果として容器Ｂ（１Ｂ）が自動車の車体を下に押しつける力が生じ走行の安定に寄与できる。走行時に急カーブを切った場合、容器Ｂ（１Ｂ）内部の水がカーブの外側に押し出されて起こる重心の急激な移動を避けるため、容器Ｂ（１Ｂ）内部を仕切り板４９によって複数の小部屋に区切り、水の連絡孔５０を設ける。仕切り板４９によって水の移動が妨げられ、重心の急激な移動が防げる。実施例５の動力装置及び上記仕切り板４９の採用により、バスなどの大型車両屋根部に本発明の冷却装置を埋め込むことが可能となる。
【００４０】
図１９は本発明をテント状冷却装置とする場合の実施例７を示す斜視図である。容器１を被冷却物の上に置かず、骨組み５１を形成してその上に配し、吸水体３をテント状に張り、内部空間の冷却装置とすることが出来る。骨組み５１を容器１の外寸法に合わせて配して掛止部５２を形成し、取っ手９によって掛止する。骨組み５１の形状及び吸水体３の大きさにより様々な形状のテント状冷却装置が設置可能である。
【００４１】
図２０は実施例８の使用時の状態を示す斜視図である。本実施例では容器を皿状容器１Ｃとし、支柱５３と杭５４によって吸水体３がテント状に張られ、吸水体３に供給するための水はタンク５５からポンプ５６によって、給水パイプ５７を通して皿状容器１Ｃに送られる。皿状容器１Ｃ内には多量の水を貯える必要がなく、小型化することやコップ型にすることも可能である。支柱５３を用いず被冷却物に皿状容器１Ｃを乗せ、タンク５５からポンプ５６によって、吸水体３に給水して使用することも可能である。
【００４２】
図２１は実施例８の皿状容器１Ｃを廃し、代わりに給水筒５８を設けた実施例９の部分拡大図である。給水筒５８は筒状を呈し、下部に支柱５３との嵌合部５９、上部に給水口６０を設け、中間を吸水体３との結合部６１とする。給水筒５８の下端を給水パイプ５７との接続部６２とする。支柱５３の先端に給水筒５８を嵌合し、給水筒５８と給水パイプ５７を接続する。結合部６１には吸水体の端３Ａを結合手段６３によって結合する。タンク５５に蓄えられた水は給水パイプ５７を通して給水筒５８に送られ、給水口６０から吸水体３に補給される。
【００４３】
図２２は実施例１０の斜視図である。給水筒５８を横長に形成し、切り妻型のテント状に吸水体３を張り巡らしてテント状体とし、峰の部分に給水筒Ｂ（５８Ｂ）を配し、タンク５５内の水をポンプ５６によって供給される。テント状体の側面６４に配された吸水体３は上部を延長してテント状体正面６５あるいは裏面６６の屋根の一部を覆い、給水筒Ｂ（５８Ｂ）に複数開けられた給水口６０に接するように結合される。
【００４４】
図２３は骨組みを廃し、箱６７を設けて吸水体３を覆うと共に、箱６７が吸水体３を支持する実施例１１の構造示す一部断面を含む斜視図である。実施例９の冷却装置は箱６７、容器Ｄ（１Ｄ）、吸水体３、箱の蓋６８によって構成される。箱６７の壁面には通気孔６９を開ける。箱６７が形成する内部壁面に沿って吸水体３を取り付けて張り巡らし、箱の底７０の中央部に開けた箱底の穴７１を通して吸水体の端Ａ（３Ａ）を容器Ｄ（１Ｄ）に挿入する。容器Ｄ（１Ｄ）の上端には爪７２を設け、箱底の穴７１に差し込んで箱の底７０に掛止する。
【００４５】
容器Ｄ（１Ｄ）内にはアルコール等の揮発性の高い液体を注入して使用する。液体は吸水体３に吸収され箱６７内部で気化し周囲の熱を奪って冷却効果を発揮する。箱６７に開けられた通気孔６９によって内部の空気が入れ替えられ、飽和状態になることを防ぐ。箱６７は折り畳み式、あるいは組立式にする。
【００４６】
図２４は実施例１２の一部断面を含む斜視図であり、容器Ｅ（１Ｅ）、台７３、吸水体３，骨組みＢ（５１Ｂ）によって構成される。容器Ｅは幅が被冷却物の幅よりも大きい上部が開口する箱形であって、内部に台７３を配する。台７３とその上に乗せた被冷却物を吸水体３が囲み、吸水体の端３Ｂが箱の底に位置するように配される。容器Ｅ（１Ｅ）には水等の液体を入れて使用するが、容器Ｅ（１Ｅ）の側面に液体取り入れ口７４を設け、タンク５５と給水パイプ５７によって連結することが可能である。
【００４７】
容器Ｅ（１Ｅ）とタンク５５を連結すると容器Ｅ（１Ｅ）内の水の減少と共に液体取り入れ口７４から給水パイプ５７を通して空気がタンク５５に向かって流れ込む。流れ込んだ空気量に見合う水が容器Ｅ（１Ｅ）に流れ、長時間の使用が可能となる。キャンプ等に於いては、風通しが良く日陰の涼しい場所を選んで設置することにより、食料を腐敗させずに保管できる。
【００４８】
図２５は吸水体をシート状に形成し、吸水体Ｂ（３Ｂ）とした実施例１３の斜視図である。吸水体Ｂ（３Ｂ）は金属箔７５等熱伝導性の高いシート状態に吸水性を有する吸水物７６を張り合わせて形成する。吸水体Ｂ（３Ｂ）は圧縮した繊維、紙等吸水性を有する単一の材質によるシート状体とすることが可能である。金属箔７５は金網、合成樹脂による網に置き換えることが可能である。吸水物７６は布、紙、不織布等、吸水性を有し蒸発可能なものとする。
【００４９】
本実施例では吸水体がシート状であるため、収納、持ち運び及び設置が容易である。シートの端に接着部７７を形成し、反対側の端に接着して筒状にし、上部７８を折り曲げる等により筒を閉じる。実施例１２に於ける吸水体３と骨組み５１をこのシート状吸水体Ｂ（３Ｂ）に置き換えて使用する。
【００５０】
吸水体Ｂ（３Ｂ）には折り目７９や凹凸を付けることが可能であり、そのことにより吸水体Ｂ（３Ｂ）と外気との接触面積を増やして水の蒸発量を増やすことが可能となる。容器は専用のものに限らず、洗面器等に水を張ったもので代用でき、筒状にした本実施例のシートを被冷却物の覆いとしてかぶせることにより、冷却装置とすることが出来る。
【００５１】
図２６は実施例１４に於ける冷却用シートの斜視図である。絞り込み手段８０によって吸水体３の端３Ａを絞り込み、下部を広げて被冷却物の覆いとし、吸水体固定具４により、被冷却物に吸水体の端３Ｂを取り付ける。被冷却物の上に乗せた桶等の容器に水等の液体を入れ、吸水体の端３Ａを浸けることにより、容器内部の液体を吸収蒸発し気化熱を放出して冷却効果を発揮する。
【００５２】
図２７は実施例１５に於ける冷却用シートの斜視図である。吸水体３の中央から吸水体の端３Ｂまで糸がほぼ放射状に配され、被冷却物の上に乗せた桶等の容器に水等の液体を入れ、吸水体の端３Ａを浸けることにより、容器内部の液体を吸収蒸発し、気化熱を放出して冷却効果を発揮する。図３に示したほぼ三角形をした吸水体を縫合して製作する。
【００５３】
【発明の効果】
本発明は上部が開口する箱と、骨組みと、布状や網状の吸水体からなり、容器の上部に骨組みを配して吸水体を被冷却物の覆いとしてかぶせ、吸水体の下端が容器内部の液体に接するように配すことで、該吸水体が前記液体を吸収し蒸発させ、気化熱の放出によって冷却効果を生じせさせる構成である携帯用冷却装置であるため次の効果を奏する。
【００５４】
電力や、動力のない場所で使用できる簡便な冷却装置を得ることができ、キャンプ等での食料の冷却に寄与できる。
【００５５】
金属箔、金網、合成樹脂による網等の骨材に布、紙、不織布等、吸水性を有し蒸発可能な吸水体を張り合わせた箱あるいは筒等にするための組み立て手段を有するシート状体であって、下端を水等の液体に浸ける状態で被冷却物の覆いとして蓋状にかぶせて使用出来る携帯冷却用シートであるため次の効果を奏する。
【００５６】
キャンプ等に持参する際、かさばらず重量上の負担を要することなく、使用に当たっては簡単に組み立てることが可能であり、底の浅い容器と組み合わせることにより簡便な冷却装置を作成できる。
【００５７】
吸水体に突起物、あるいは折り目を設け、空気と吸水体の接触面積を広くした携帯冷却用シートであるため次の効果を奏する。
【００５８】
空気と吸水体が接触する面積を広くすることにより、液体の蒸発を促進し、冷却効果が高まる。